(57)【要約】【課題】  使用中における内層の減容変形の進行の態様を一定にすることを技術課題として、もって常に内容液の残量を容易にかつ確実に確認でき、使い勝手の優れたデラミボトルを使用した注出容器を提供することを目的とする。【解決手段】  容器本体と、この容器本体の口筒部に装着する吸上げポンプとから成る注出容器において、容器本体を、定形の外殻を形成する合成樹脂製の不透明な外層と、この外層と剥離自在に積層され、減容変形自在な内袋を形成する合成樹脂製の内層を有し、容器本体の中心軸に対して略軸対称に配置され、外層と内層とを、全高さ範囲に亘って接着固定する縦帯状の一対の接着帯を形成する構成とし、一対の接着帯により左右に２分される内層の一方の側の肉厚を、反対側の肉厚に比較して厚肉に形成し、胴部の、内層が厚肉の側の位置において、外層の一部に透明な窓部を形成し、外層と内層との間に外気を進入させる吸気部を、外層に形成する。【選択図】図１
2005153901.tif 000002
【特許請求の範囲】
【請求項１】
容器本体(1)と、該容器本体(1)の口筒部(6)に装着する吸上げポンプ(P)とから成り、前記容器本体(1)を、定形の外殻を形成する合成樹脂製の不透明な外層(2)と、該外層(2)と剥離自在に積層され、減容変形自在な内袋を形成する合成樹脂製の内層(3)と、前記容器本体(1)の中心軸に対して略軸対称に配置され、前記外層(2)と内層(3)とを、全高さ範囲に亘って接着固定する縦帯状の一対の接着帯(4)を有し、該一対の接着帯(4)により左右に２分される内層(3)の一方の側の肉厚を、反対側の肉厚に比較して厚肉に形成し、前記容器本体(1)の胴部(7)の、前記内層(3)が厚肉の側の位置において、外層(2)の一部に透明又は半透明な窓部(10)を形成し、前記外層(2)と内層(3)との間に外気を進入させる吸気部を、外層(2)に形成する構成とした注出容器。
【請求項２】
窓部(10)を胴部(7)の全高さに亘り縦帯状に形成した請求項１記載の注出容器。
【請求項３】
窓部(10)を胴部(7)の下端部に形成した請求項１記載の注出容器。
【請求項４】
接着帯(4)の形成位置をパーティングライン(5)上とした請求項１、２または３記載の注出容器。
【発明の詳細な説明】
【技術分野】
【０００１】
本発明は、定形の外殻を形成する外層内に、減容変形自在な内袋を形成する内層を剥離自在に積層形成した容器本体の口筒部に吸上げポンプを装着して使用する注出容器に関するものである。
【背景技術】
【０００２】
定形の外殻を形成する外層内に、減容変形自在な内袋を形成する内層を剥離自在に積層して構成した、一般にデラミボトルと称されるブロー成形壜体の口筒部に吸上げポンプ装着した注出容器が化粧料等の注出容器として使用されている。
【０００３】
この注出容器は装着されたポンプの操作で内層内の内容液が注出されると共に、注出された分内層内が負圧化して内層が減容変形し、外層に形成された吸気部から外層と内層の間に外気が進入するという作用により、内容液が収納される内層内に外気が進入しないので、酸化劣化等による品質変化を抑制できること、常に内層内に内容液が充満した状態としておくことができるので、内容液が略なくなるまで、スムーズに注出操作を達成することができる。
【０００４】
一方、一般的に内容物を収納する場合に透明な容器では紫外線によって内容物の品質が劣化することがあり、このような場合には遮光性を付与するため不透明の容器を用いる。またデラミボトルにおいては、内層の減容変形した状態が見えると外観上好ましくないため、この理由からも不透明の容器を用いることが多い。
【０００５】
しかし、容器を不透明とすると、内層内にある内容液の残量も見ることができなくなるので、たとえば特許文献１には容器の胴部の外層の一部に透明な窓を設けることにより残量を確認できるようにした発明が記載されている。
【発明の開示】
【発明が解決しようとする課題】
【０００６】
しかしながら、上記した特許文献１に記載の従来技術にあっては、内層の減容変形がいつも一定に進行するわけでもないので、内層の変形の進行の態様によっては内容液の量が確認するのが困難な場合があり、常に内容液の残量が容易にかつ確実に確認できる容器の創出が要求されていた。
【０００７】
そこで、本発明は、上記した従来技術における問題点を解消すべく創案されたもので、使用中における内層の減容変形の進行の態様を一定にすることを技術課題として、もって常に内容液の残量を容易にかつ確実に確認でき、使い勝手の優れたデラミボトルを使用した注出容器を提供することを目的とする。
【課題を解決するための手段】
【０００８】
上記技術的課題を解決する請求項１記載の発明の手段は、
容器本体と、この容器本体の口筒部に装着する吸上げポンプとから成ること、
容器本体が、定形の外殻を形成する合成樹脂製の不透明な外層と、この外層と剥離自在に積層され、減容変形自在な内袋を形成する合成樹脂製の内層を有すること、
容器本体の中心軸に対して略軸対称に配置され、外層と内層とを、全高さ範囲に亘って接着固定する縦帯状の一対の接着帯を形成すること、
一対の接着帯により左右に２分される内層の一方の側の肉厚を、反対側の肉厚に比較して厚肉に形成すること、
胴部の、内層が厚肉の側の位置において、外層の一部に透明な窓部を形成すること、
外層と内層との間に外気を進入させる吸気部を、外層に形成すること、
にある。
【０００９】
請求項１の上記構成により、本発明の注出容器においては吸上げポンプの操作で内層内の内容液が注出されると共に、注出された分内層内が負圧化して内層が減容変形し、外層に形成された吸気部から外層と内層の間に外気が進入する。そしてこのような作用により、内容液が収納される内層内に外気が進入しないので、酸化劣化等による品質変化を抑制できると共に、常に内層内に内容液が充満した状態としておくことができ、内容液が略なくなるまで、スムーズに注出操作を達成することができる。上記の吸気部はたとえば、口筒部あるいは底部のピンチオフ部等に形成することができる。
【００１０】
また、全高さ範囲に亘って略中心軸対称に位置した一対の接着帯は、内層の減容変形の進行の態様を規制する機能を果たす。すなわち、平断面でみると、接着帯によって左右に２分されるそれぞれの内層部分はその両端を接着帯で固定された状態でその中央部を陥没状に変形していく。
【００１１】
さらに一対の接着帯により左右に２分される内層の一方の側の肉厚を、反対側の肉厚に比較して厚肉に形成するという構成は、接着帯の左右で内層の減容変形性に差異を付与するためのものである。すなわちこの構成により内容液の注出初期段階においては一方の側（比較的薄肉に形成された側）の内層がまず減容変形して、略減容変形の限界に達した段階で、反対側（比較的厚肉に形成された側）において外層からの剥離と共に減容変形がスタートし、さらに減容変形が進行するようにできる。
【００１２】
ここで、胴部の、内層が厚肉の側の位置において、外層の一部に透明な窓部を形成することにより、注出の初期段階では窓部側の内層（厚肉側）は外層に密着した状態にあるが、この内層が外層から剥離し始めたのを見て内容液の残量が略１／２程度になったことを判断できる。さらに窓部からその後の内層の減容変形の進行状態を見ながら、内容液の残量を容易にかつ確実に確認することができる。
【００１３】
すなわち本請求項１の内容液の残量確認に係る主たる手段は、略中心軸対称に一対の接着帯を形成し、さらに接着帯で２分される左右の内層の肉厚を変えて、注出による内層の減容変形の進行の態様を規制し、この規制により内容液の残量が的確に認識できるようになった部分を透明の窓部から観察可能にしたことにある。
【００１４】
請求項２記載の発明の手段は、請求項１の発明において窓部を胴部の全高さに亘り縦帯状に形成することにある。
【００１５】
通常注出容器は正立状態で保管されるので内容液は比較的底部に多く残る傾向にある等、内容液は必ずしも胴部の高さ方向に均一な状態で残存するわけではないので請求項２記載の上記構成により、窓部を胴部の略全高さに亘り縦帯状に形成することにより、内容液の残存状態をより正確に認識することができる。
【００１６】
請求項３記載の発明の手段は、請求項１の発明において窓部を胴部の下端部に形成すること、にある。
【００１７】
請求項３記載の上記構成により、透明もしくは半透明な窓部を容器の胴部の下端部に制限して位置させるので、注出容器の外観体裁に対する窓部の影響の程度を小さくすることができると共に遮光性の点からも有利となる。また、内容液が最後まで残留位置する胴部の下端部に窓部を位置させているので、内容液が少なくなった状態においても残量を略正確に観察できる。
【００１８】
請求項４記載の発明の手段は、請求項１、２または３の発明において、接着帯の形成位置をパーティングライン上とすること、にある。
【００１９】
請求項４記載の上記構成により、接着帯形成部分には若干の凹凸があり、またパーティングラインは割金型の合せ面に相当する線状の凹凸があるので、両者を同一の場所に形成して比較的目立ない容器本体の側部に形成させることができると共に、窓部を容器本体の背面に位置させることもでき、特には、正面外観をすっきりしたものとすることができる。
【発明の効果】
【００２０】
本発明は上記した構成であり、以下に示す効果を奏する。
請求項１記載の発明にあっては、一対の接着帯を形成し、接着帯で２分される内層の肉厚を変えることにより、注出による内層の減容変形の進行の態様を規制し、この規制により内容液の残量が的確に認識できるようになった部分を透明の窓部から観察可能とすることにより内容液の残量を容易にかつ確実に認識することができる。
【００２１】
請求項２記載の発明にあっては、窓部を胴部の略全高さに亘り縦帯状に形成することにより、内容液の残量をより正確に認識することができる。
【００２２】
請求項３記載の発明にあっては、窓部を胴部の下端部に形成することにより、注出容器の外観体裁に対する窓部の影響の程度を小さくすることができると共に遮光性の点からも有利となる。また、内容液が最後まで残留位置する胴部の下端部に窓部を位置させているので、内容液が少なくなった状態においても残量を略正確に観察することができる。
【００２３】
請求項４載の発明にあっては、特には、正面外観をすっきりしたものとすることができる。
【発明を実施するための最良の形態】
【００２４】
以下本発明の実施の形態を図面を参照しながら説明する。
図１〜図６は本願発明の注出容器の第１実施例を示すものであり、デラミボトルである容器本体１と、吸上げポンプＰと、この吸上げポンプＰを容器本体１の口筒部６に密装着するキャップ体１１とパッキン１２を有する。図１は注出容器全体の、図２は容器本体１の斜め後方からの全体斜視図である。
【００２５】
容器本体１は壜体状であり、円筒状の胴部７を有し、胴部７の上に肩部を介して口筒部６を起立設した形状である。またこの容器本体１は定形の外殻を形成し、後述する窓部１０の形勢部分を除いて不透明である外層２とこの外層２に剥離自在に積層して薄肉で、減容変形自在な内袋を形成する内層３から形成されており、また中心軸に対して軸対称に、ブロー成形割金型によるパーティングライン５上に、外層２と内層３が接着層４ａにより接着固定した一対の縦帯状の接着帯４が全高さ範囲に亘って形成されている。
【００２６】
一対の接着帯４により内層３は左右対称に２分されるが、一方の側の内層３に比較して他方の側の内層３は比較的厚肉に形成している（図４参照）。以下比較的厚肉の内層３部分（図４中では右側）を厚肉側３ａ、比較的薄肉の内層３部分（図４中では左側）を薄肉側３ｂと記す。
【００２７】
また、容器本体１の全高さ範囲に亘って、厚肉側３ａで、接着帯４から中心角度で直角の位置に、外層２を透明または半透明として窓部１０が形成されている。
【００２８】
容器本体１において、外層２はたとえばポリエチレン（以下ＰＥと記す。）、ポリプロピレン（以下ＰＰと記す。）等の合成樹脂製であり、内層３はたとえばナイロン、エチレンビニルアルコール共重合体、ポリエチレンテレフタレート等の外層２に対して相溶性の低い合成樹脂製であり、接着層４ａは外層２および内層３に対して充分な接着性を発揮する接着性樹脂製である。容器本体１は相溶性の殆どない円筒状の外側パリソンと、円筒状の内側パリソンと、さらに外側パリソンと内側パリソンの間に縦帯状の接着層とを共押出しで積層パリソンに押出し成形し、この積層パリソンをブロー成形して得られる。
【００２９】
また、容器本体１の全高さに亘って縦帯状の窓部１０を形成するには、円筒状の外側パリソンを形成する押出しダイの管状孔内へ窓部１０形成用の溶融材料を圧入して一部を透明又は半透明材料の、又残部を不透明材料で形成した外側パリソンを形成すればよく、たとえば、全体としてはＰＥあるいはＰＰ樹脂の中でも光透過率の大きな低密度ＰＥ、あるいはランダム共重合タイプのＰＰ等の樹脂を用い、窓部１０となる部分以外の部分は顔料等を分散させて不透明とすれば良い。なお勿論ことではあるが、外層３用の合成樹脂はＰＥ樹脂、ＰＰ樹脂に限定されるものではない。
【００３０】
口筒部６の外層２のパーティングライン５から中心角度が直角の位置には軸対称に、吸気部となる一対の吸気孔９が形成されている。なおこの吸気部の形成位置は口筒部６に限定されるものではなく、たとえば底部８のピンチオフ部を利用して形成することもある。
【００３１】
図５および図６は、本実施例の注出容器を使用する際における、内層３の減容変形の進行の態様を示す説明図である。図５は従断面で変形の進行をみたものであり、（ａ）は未使用の状態、（ｂ）略１／２使用した状態、（ｃ）は使用終了に近い状態を示す。また図６は平断面図で変形の進行をみたものであり、（ａ）は未使用の状態、（ｂ）は略１／２使用した状態、（ｃ）はさらに使用が進行した状態、（ｄ）は使用終了に近い状態を示す。
【００３２】
内層３の減容変形は、一対の縦帯状の接着帯４によってその進行の態様が規制された状態で進行するが、使用の初期段階では、内容液Ｌの減少に伴ってまず薄肉側３ｂの中央部が外層２から剥離しながら中心軸に向かって（図６（ｂ）中の白抜き矢印方向）陥没状に変形する。そして薄肉側３ｂの剥離が接着帯４の側端部にまで達して、薄肉側３ｂの減容変形の進行が略限界に達すると（図６（ｃ）参照）、厚肉部３ａの減容変形が始まり、その中央部が外層２と剥離しながら中心軸に向かって（図６（ｃ）中の白抜き矢印方向）陥没状に変形する。そして、薄肉部３ｂと厚肉部３ａが略接触して内容液Ｌの注出が終了する（図６（ｄ）参照）。
【００３３】
上記の内層３の減容変形の進行を窓部１０から見ると、図６（ｂ）の段階では厚肉側３ａの剥離はなく、（ｂ）から（ｃ）への過程で、厚肉側３ａ中央部の剥離の発生が観察される。さらに（ｃ）から（ｄ）への過程では、厚肉側３ａの中央部が中心軸方向への変形していく様子を見ることができ、特に本実施例では容器本体１の全高さに亘って窓部１０を形成した構成であるので、内容液Ｌの残量を正確に認識することができる。
【００３４】
なお、上記第１実施例では窓部１０を接着帯４から中心角度で直角の位置に、容器本体１の全高さに亘る範囲に、縦帯状に形成した構成について説明したが、窓部１０の形成位置、形成範囲、形状等は本実施例に限定されるものではなく、使用の最終段階での内容液Ｌの残量の確認のし易さ、外観、遮光性等を考慮して使用目的に応じて選択できるものである。
【００３５】
図７は本発明の注出容器の第２実施例の斜め後方からの全体斜視図である。外観性、遮光性を考慮して窓部１０を胴部７の下端部に形成したことを特徴とする例であり、窓部１０の形成範囲以外の他の構成は第１実施例と同様である。
【００３６】
通常注出容器は正立状態で保管、使用される場合が多く、内容液Ｌは胴部７の下端部に多く残留するので、使用の最終段階で内容液Ｌが少なくなった状態においても、残量を略正確に観察することができる。
【００３７】
本第２実施例のように、容器本体１の全高さ範囲でなく、胴部７の一部を窓部１０としたい場合は、不透明な外側パリソンの押出し途中で、その押出しダイの管状孔内へ窓部１０形成用の透明または半透明性樹脂材料を溶融状態で一時的に圧入すればよい。透明または半透明性樹脂材料は不透明な樹脂材料と合流して、一部壁部だけが透明または半透明樹脂材料で形成された外側パリソンが押出し成形され、これをブロー成形することで透明または半透明の窓部１０が胴部７の一部に形成された容器本体１を得ることができる。
【産業上の利用可能性】
【００３８】
本願発明のデラミボトルを使用した注出容器は、窓部により内容液の残量を容易にかつ確実に確認することできるので、使用者は残量を認識しながら安心して使用することができ、品質の安定性の面から遮光性を要し、また外観的な美観が要求される化粧料等の注出容器として、さらに幅広い展開を期待できる。
【図面の簡単な説明】
【００３９】
【図１】本発明の注出容器の第１実施例を示す、斜め後方からの全体斜視図である。
【図２】図１に示す注出容器の容器本体を示す、斜め後方からの全体斜視図である。
【図３】図１に示す注出容器の一部縦断側面図である。
【図４】図３のＡ−Ａ線に沿って示す、平断面図である。
【図５】図３の一部縦断側面図において、内層の減容変形の進行の態様を示す説明図である。
【図６】図４の平断面図において、内層の減容変形の進行の態様を示す説明図である。
【図７】本発明の注出容器の第２実施例を示す、斜め後方からの全体斜視図である。
【符号の説明】
【００４０】
１  ；  容器本体
２  ：  外層
３  ；  内層
３ａ；  厚肉側
３ｂ；  薄肉側
４  ；  接着帯
４ａ；  接着層
５  ；  パーティングライン
６  ；  口筒部
７  ；  胴部
８  ；  底部
９  ；  吸気孔
１０；  窓部
１１；  キャップ体
１２；パッキン
Ｐ  ；吸上げポンプ
Ｌ  ；内容液
【図１】
2005153901.tif 000003
【図２】
2005153901.tif 000004
【図３】
2005153901.tif 000005
【図４】
2005153901.tif 000006
【図５】
2005153901.tif 000007
【図６】
2005153901.tif 000008
【図７】
2005153901.tif 000009